(57)【要約】【課題】太陽電池付きデジタル時計において、時計を径大化または厚型化することなく、発電電力を増やす。【解決手段】時刻表示体である回路ブロック２の上方に、太陽電池支持枠６が配置され、太陽電池４の発電面が回路ブロック２と垂直になるように、太陽電池支持枠６が有する略螺旋状のスリット６ａ内に太陽電池４を配置する。表示素子である発光ダイオード２０１間に太陽電池４が垂直配置されることで、迷光も防ぎ、見やすさも改善する。【選択図】図４
2015129685.tif 000002
【特許請求の範囲】
【請求項１】
各種情報を表示する表示面と、
該表示面の視認可能な領域において、
発電領域（４ａ、４１ａ）が、前記表示面と略垂直となるように配置される太陽電池（４、４１）と、を有する
ことを特徴とする太陽電池付き電子時計。
【請求項２】
視認側の面が前記表示面となる文字板（１２）を有し、
前記発電領域（４１ａ）が前記文字板（１２）の視認側の面と略垂直となるように、前記太陽電池（４１）が配置される
ことを特徴とする請求項１に記載の太陽電池付き電子時計。
【請求項３】
前記文字板（１２）に各種情報を表示する小領域（１１ａ，ｂ，ｃ、１２ａ）を有し、
前記太陽電池（４１）が、該小領域（１１ａ，ｂ，ｃ、１２ａ）の周囲を囲むように配置される第１部分（４１ｅ）を有する
ことを特徴とする請求項２に記載の太陽電池付き電子時計。
【請求項４】
前記小領域（１１ａ，ｂ，ｃ、１２ａ）は、インダイアル（１１ａ，ｂ，ｃ）、窓（１２ａ）又は光学表示である
ことを特徴とする請求項３に記載の太陽電池付き電子時計。
【請求項５】
前記太陽電池（４）は、前記表示面の視認不可能な領域に配置される第２部分（４１ｄ）を有し、前記第１部分（４１ｅ）の幅が前記第２部分（４１ｄ）の幅より狭い
ことを特徴とする請求項３又は４に記載の太陽電池付き電子時計。
【請求項６】
前記第１部分（４１ｅ）の視認側に、前記第１部分（４１ｅ）の視認を妨げる覆い（６１ｂ）を有する
ことを特徴とする請求項３から５のいずれか１つに記載の太陽電池付き電子時計。
【請求項７】
視認側の面に複数の表示素子（２０１）が配置された表示面を有する表示体（２）を有し、
前記太陽電池（４）は、前記複数の表示素子（２０１）の間に配置される
ことを特徴とする請求項１に記載の太陽電池付き電子時計。
【請求項８】
前記複数の表示素子（２０１）が放射状に配置され、
前記太陽電池（４）は、前記複数の表示素子（２０１）の列間に沿って、
時計の略中心から外周へ向かうように略螺旋状に配置される
ことを特徴とする請求項７に記載の太陽電池付き電子時計。
【請求項９】
前記表示素子（２０１）によって、複数のデジット（２１０）が形成され、
前記太陽電池（４）は、前記各デジット（２１０）を取り囲むように配置される
ことを特徴とする請求項７に記載の太陽電池付き電子時計。
【請求項１０】
前記表示素子（２０１）が発光素子である
ことを特徴とする請求項７から９のいずれか１つに記載の太陽電池付き電子時計。
【請求項１１】
前記太陽電池（４、４１）は、少なくとも、時計の中心側に向いている前記発電領域（４ａ，４１ａ）を有する
ことを特徴とする請求項１から１０のいずれか１つに記載の太陽電池付き電子時計。
【発明の詳細な説明】
【技術分野】
【０００１】
本発明は、光電変換の太陽電池を有する太陽電池付きデジタル時計に関する。
【背景技術】
【０００２】
太陽電池付き時計は、光エネルギーを電気エネルギーに変換して時計を駆動させるため、光エネルギーがある限り発電を続けることが可能であり、内蔵二次電池の交換が不要である。よって、使用済みの廃棄電池が発生することもないので、太陽電池付き時計には環境負担が小さい等の利点がある。
また、アナログ時計だけでなくデジタル時計においても、太陽電池付き時計が多数提案されている。
【０００３】
太陽電池付き時計の構造は、一般的に、デジタル時計の表示パネルは非透過部材で構成されるため、表示パネルと太陽電池の発電領域を重ねないように配置する。太陽電池付きデジタル時計においては、表示パネルと風防ガラスの間に太陽電池を配置する特許文献１のような構造が一般的である。
【先行技術文献】
【特許文献】
【０００４】
【特許文献１】特開２０１１−１９１１６０号公報（第１、２図）
【特許文献２】特開平１０−９０４４０号公報（第１図）
【特許文献３】特許第４４５５７２６号公報（第１図）
【発明の概要】
【発明が解決しようとする課題】
【０００５】
特許文献１では、表示部外形とケース外形の間に太陽電池が配置される構造が開示されている。そのため、駆動に必要な発電電力を得るためには、太陽電池の発電領域の内周サイズと外周サイズのバランスを考慮して、太陽電池の発電領域の面積を設定しなければならない。よって、表示パネルの表示外形とケース外形との距離が大きくなってしまったり、ケースサイズが大きくなってしまうという欠点がある。
【０００６】
上記欠点を改善するため、特許文献２、３では、長尺のフレキシブル太陽電池を、文字板の外縁部に沿って直立して配置させる構造が開示されている。このように配置することで、表示パネルの表示外形とケース外形との距離を小さくすることができる。
ここで、長尺太陽電池の長さは時計見切り部の円周長と略同一である。
【０００７】
しかし、液晶パネルや発光ダイオードなどによるデジタル表示を行う時計は、一般にアナログ表示の時計よりも消費電力が大きいため、前記フレキシブル太陽電池の発電領域の面積を大きくする必要がある。フレキシブル太陽電池の発電面積を大きくするには、太陽電池の長さを長くしたり、幅を大きくする必要があり、時計の平面サイズや厚みを増やすことに繋がり、デザインに制約が生じてしまう。
【０００８】
本発明は、上記課題に鑑みてなされたものであって、その目的は、時計の平面サイズや厚みを増やすことなく、太陽電池付きデジタル時計を提供することにある。
【課題を解決するための手段】
【０００９】
上記問題を解決するために、本発明の電子時計は、
各種情報を表示する表示面と、該表示面の視認可能な領域において、
発電領域が、前記表示面と略垂直となるように配置される太陽電池と、を有することを特徴とする。
【発明の効果】
【００１０】
本発明によれば、時計の平面サイズや厚みを増やすことなく、太陽電池の長さを長くすることが可能となる。これにより、消費電力の大きなデジタル表示をもつ太陽電池付き時計を実現できる。
【図面の簡単な説明】
【００１１】
【図１】本発明の第１実施形態に係る腕時計の平面図であって、（ａ）は「１０：１０」を示し、（ｂ）は「０：３７」を示す平面図である。
【図２】本発明の第１実施形態に係る太陽電池の平面図である。
【図３】本発明の第１実施形態に係る太陽電池支持枠の平面図である。
【図４】本発明の第１実施形態に係る腕時計の平面図である。
【図５】本発明の第１実施形態に係る腕時計の断面図である。
【図６】本発明の第１実施形態に係る太陽電池と回路ブロックの接続を示した断面図である。
【図７】本発明の第１実施形態に係る太陽電池と回路ブロックの接続を示した平面図である。
【図８】本発明の第１実施形態の変形例を示す平面図である。
【図９】本発明の第２実施形態に係る腕時計の平面図であって、（ａ）は「１０：１０」を示し、（ｂ）は「０：３７」を示す平面図である。
【図１０】本発明の第２実施形態に係る腕時計の平面図である。
【図１１】本発明の第３実施形態に係る腕時計の平面図である。
【図１２】（ａ）は本発明の第３実施形態に係る太陽電池の平面図であり、（ｂ）は比較例である。
【図１３】本発明の第３実施形態に係る腕時計の断面図である。
【発明を実施するための形態】
【００１２】
以下、本発明の実施形態について図面に基づき詳細に説明する。
なお、本発明の実施形態で示す表示方法は、一例である。
【００１３】
［第１実施形態］
本発明の第１実施形態に係る腕時計は、発光ダイオードによって時刻を表示するデジタル表示時計であり、第１実施形態では指針式表示をデジタル的に行う実施形態である。
【００１４】
図１（ａ）と図１（ｂ）は、本発明の実施形態に係る腕時計１００を示す平面図であって、図１（ａ）は、「１０：１０」を示すときの平面図であり、図１（ｂ）は、「０：３７」を示すときの平面図である。
同図には、腕時計１００の外装である胴１、胴１内に配置された時刻を表示するための発光ダイオード２０１が示されている。また、胴１の３時側の側面にはユーザーが種々の操作を行うためのりゅうず３が配置されている。
【００１５】
なお、同図に示した腕時計１００のデザインは一例である。ここで示したもの以外にも、例えば胴１を丸型ではなく角型にしてもよいし、りゅうず３や図示しないボタンの有無、数、配置は任意であり、発光ダイオード２０１の数、配置も任意である。
【００１６】
本実施例では、発光ダイオード２０１を１０列の略放射状となるように配置する。
発光ダイオード２０１は、最外周から５周目までの列にはそれぞれ３０個、６周目の列に
は２４個、７周目と８周目の列にはそれぞれ１２個、９周目の列には４個、１０周目の列には１個、等間隔に配置されている。
【００１７】
腕時計１００は、複数の発光ダイオード２０１が、時針と分針の形状を示すように発光することで、図１ａや図１ｂのように時刻を表示する。
りゅうず３は、通常位置から押し込み操作、１段引き操作や、回転操作が可能である。りゅうず３を、押し込むことで数秒間時刻を表示し、１段引きした後回転させることで時刻修正を行うことができる。
なお、本実施例では、発行ダイオード２０１が時針と分針をの形状を示して時刻表示を行うが、数字を示して時刻を表示しても良い。
また、りゅうず３の操作方法についても一例である。
【００１８】
次に、本発明の実施形態に係る太陽電池４を、図２を用いて説明する。
図２は、本発明の実施形態に係る太陽電池の平面図である。
太陽電池４は、薄板の長尺形状をしており、屈曲可能である。さらに、発電領域４ａに受光することで発電し、電極４ｂ、４ｃにより発電電流を出力する。
なお、電極４ｂ、４ｃの位置は一例であり、配置する位置は任意である。
【００１９】
次に、本発明の実施形態に係る腕時計１００の構造を図３、図４、図５を用いて説明する。
図３は、本発明の実施形態に係る太陽電池支持枠の平面図であり、図４は、本発明の実施形態に係る腕時計の平面図であり、図５は、本発明の実施形態に係る腕時計の断面図である。
【００２０】
まず、図４を用いて太陽電池の平面の配置について説明する。
太陽電池４は、発電領域４ａが、腕時計１００の平面方向と垂直、かつ、腕時計１００の中心に向くようにし、発光ダイオード２０１の列間に沿って、腕時計１００の略中心から外周へ向かうように略螺旋状に配置する。
【００２１】
このように配置することで、風防ガラス７から入射する自然光を、見切り１ａの近傍の太陽電池４の最外周部分４ｄの発電領域４ａにおいても受光しやすくすることができ、発電領域４ａを腕時計１００の外側に向く場合と比較し、発電電力を増やすことができる。
【００２２】
太陽電池４を略螺旋状に平面保持するために、太陽電池４は、図３で示す太陽電池４を差し込むためのスリット６ａが設けられた太陽電池支持枠６内に配置される。太陽電池支持枠６は、後述の如く発光ダイオード２０１の上方（時計の視認側）に配置されるため、光透過性を有する素材で作成されている。
なお、太陽電池４の両端の位置、螺旋の回転方向は一例である。
【００２３】
次に、図５を用いて太陽電池の断面の配置について説明する。
胴１内には回路ブロック２が配置されており、回路ブロック２には、発光ダイオード２０１、りゅうず３の操作の認識や腕時計１００の動作を制御する図示しないマイコンや、図示しない電子部品が実装されている。すなわち、回路ブロック２は、時計表示体として機能し、発光ダイオード２０１は表示素子として機能する。
【００２４】
なお、マイコンや他の電子部品は太陽電池支持枠６を通して見えないように、回路ブロック２の裏面側（発光ダイオード２０１の実装面の反対側の面）に実装されている。
さらに、回路ブロック２の下方には、ムーブメント５が配置されており、ムーブメント５内にはりゅうず３の操作を図示しないマイコンに伝達するための機構（不図示）や、図示しない二次電池などが納められている。
【００２５】
また、回路ブロック２の上方には、太陽電池支持枠６が配置される。前述の如く、太陽電池支持枠６は、光透過性の材質で構成されているので、発光ダイオード２０１の点灯が、太陽電池支持枠６を通して確認できる。また、太陽電池４は、回路ブロック２と風防ガラス７によって断面方向に、発電領域４ａが回路ブロック２の視認側の表示面と略垂直になるように保持される。すなわち、風防ガラス７は、太陽電池４を保持する太陽電池支持板６としても機能する。なお、太陽電池４を断面方向に保持する部材は風防ガラス７に限らず、別の部材で保持しても良い。
【００２６】
このように配置することで、時計表示体である回路ブロック２の表示面の視認可能な領域に太陽電池４を配置できるので、太陽電池４の長さは見切り１ａ部の円周長よりも長くすることが可能となり、特許文献２、３で示されているような従来の長尺太陽電池の配置例と比較し、太陽電池４を長尺にできる。よって、腕時計１００の平面サイズを大きくすることなく太陽電池４による発電電力を増やすことができる。また、太陽電池４を長尺にすることができるため、腕時計１００に必要な発電電力を得るためには、腕時計１００の厚みに影響を与える太陽電池４の幅を小さくすることができる。
【００２７】
さらに、発光ダイオード２０１が発光したときの、回路ブロック２と平行な方向への表示に寄与しない光によって、発電することができる。また、回路ブロック２と平行な方向への表示に寄与しない光は表示を曖昧にする悪影響をもたらすが、太陽電池４が遮光部材としても機能するので、表示を曖昧にする発光ダイオード２０１からの迷光を防ぐこともできる。
【００２８】
次に、図６、７を用いて太陽電池４と回路ブロック２との接続について説明する。
太陽電池４は、発電領域４ａに受光することで発電した発電電流を、電極４ｂ、４ｃから出力する。発電電流を二次電池へ充電するためには、電極４ｂ、４ｃと回路ブロック２を接続しなければならない。ここで、太陽電池支持枠６は光透過性の部材であるため、回路ブロック２上方は外観として確認可能である。よって、美観を損なわないために、太陽電池４と回路ブロック２は、回路ブロック２下方で接続される。
【００２９】
太陽電池４と回路ブロック２を、回路ブロック２下方で接続するために、本実施例に係る太陽電池４はＬ字形状をしており、図２で示すように、発電領域４ａと２つの電極４ｂ、４ｃを有する。太陽電池４の電極４ｂ、４ｃ部を、回路ブロック２に設けられた穴２ａに差し込むことで、回路ブロック２の下方へと配置させる。
【００３０】
回路ブロック２の下方には太陽電池接続ばね８ａ、８ｂが配置され、絶縁シート９と金属製の太陽電池接続ばね押さえ１０によって、それぞれ絶縁された状態でねじ１１によって締結される。ここで、太陽電池接続ばね押さえ１０が絶縁部材であれば、絶縁シート９は不要である。
【００３１】
太陽電池接続ばね８ａ、８ｂは、一端が電極４２、４３と圧接され、他端が回路ブロック２に圧接されている。よって、太陽電池４から出力された発電電流は、太陽電池接続ばね８ａ、８ｂを介することで、回路ブロック２へ入力され、図示しない二次電池へ充電される。
【００３２】
また、回路ブロック２上方は外観として確認可能であり、回路ブロック２上方には発光ダイオード２０１が実装されている。パッケージ化されていないベアチップのマイコンを使用する場合には、外光や発光ダイオード２０１の点灯により、スルーホールなどの貫通穴を通じて、消費電力の増加、歩度安定性の低下、水晶振動子の発振停止等の悪影響を与える。よって、本発明では、樹脂により回路ブロックのスルーホールを穴埋めすることで、
マイコンへの光の到達を防ぎ、耐光性を高める。
【００３３】
ここで、回路ブロック２の穴２ａに入射した光は、図６で示すように、太陽電池接続ばね８ａ、８ｂを配置するための限定された空間内へのみ到達するため、ベアチップのマイコンまで光が到達することはなく、腕時計１００の機能に悪影響を与えることはない。
【００３４】
なお、上記第１実施形態では発光ダイオード２０１を放射状に配置し、太陽電池４を螺旋状に配置したが、これには限定されない。図８のように、長方形表示領域内に、辺方向に並列にドットマトリクス形式で発光ダイオード２０１配置し、辺方向に平行に太陽電池４を配置しても良い。
【００３５】
［第２実施形態］
次に、図９、図１０を用いて本発明の第２実施形態を説明する。
第１実施形態は、時刻を指針（アナログ）表示していたのに対し、第２実施形態は、時刻をデジタル（デジット）表示する実施形態である。
なお、太陽電池４の保持構造などは第１実施形態と同じであり、同一構成要素については同じ番号を付し、その説明は省略する。
【００３６】
図９は、本発明の第２実施例に係る腕時計１０１を示す平面図であって、図９（ａ）は、「１０：１０」を示すときの平面図であり、図９（ｂ）は、「０：３７」を示すときの平面図である。
【００３７】
本実施例では、デジタル数字で時刻の表示を行う。時分それぞれが２桁の数字を表示できるように、発光ダイオード２０１が配置されている。
より詳しくは、回路ブロック２上に、４つのデジット２１０ａ、２１０ｂ、２１０ｃ、２１０ｄが発光ダイオード２０１によって形成され、各デジットで数字を表示する。デジット２１０ａにて時の１０の位、デジット２１０ｂにて時の１の位、デジット２１０ｃにて分の１０の位、デジット２１０ｄにて分の１の位を表示する。
また、回路ブロック２はコロン表示部２１０ｅも備え、コロン表示を行う。
当然ながら、各デジット２１０ａ、２１０ｂ、２１０ｃ、２１０ｄやコロン表示部２１０ｅにおける発光ダイオード２０１の個数や配置、数値の表示形態は、図８の形態には限定されない。
【００３８】
図１０は、第２実施例に係る腕時計の太陽電池４と表示素子である発光ダイオード２０１との配置関係を示す平面図である。
太陽電池４は、デジット２１０ａ、２１０ｂ、２１０ｃ、２１０ｄ、コロン表示部２１０ｅのうち、隣接する２つの間を縫うように配置される。すなわち、太陽電池４は、デジット２１０ａ−２１０ｂ間、デジット２１０ｂ−コロン表示部２１０ｅ間、コロン表示部２１０ｅ−デジット２１０ｃ間デジット２１０ｄ−２１０ｄ間に配置される。
【００３９】
また、太陽電池４は、各デジット２１０ａ、２１０ｂ、２１０ｃ、２１０ｄやコロン表示部２１０ｅを取り囲むように配置される。この配置を採用することにより、各デジット２１０ａ、２１０ｂ、２１０ｃ、２１０ｄやコロン表示部間２１０ｅを太陽電池４で遮光することが可能となり、各デジット２１０ａ、２１０ｂ、２１０ｃ、２１０ｄやコロン表示部間２１０ｅの表示する数字やコロンがより明確に見えるようになる。
腕時計１０１の見切り１ａ部の円周長よりも長い太陽電池４を配置することが可能であり、従来の長尺太陽電池の配置例と比較し、発電量を増やすことができることは、第１実施形態と同様である。
【００４０】
［第３実施形態］
次に、図１１〜１３を用いて、本発明の第３実施形態を説明する。
第１実施形態、第２実施形態は、複数の表示素子（発光ダイオード）を用いたデジタル表示式の時計であったのに対し、第３実施形態は、指針を用いるアナログ表示式の時計に係る実施形態である。
【００４１】
図１１は、本発明の第３実施形態に係る腕時計の平面図である。腕時計１０２は、少なくとも１つ以上のインダイアルと、日付を表示する日窓１２ａを有し、本発明の実施例では３つのインダイアル１１ａ、１１ｂ、１１ｃを有する。インダイアルの表示内容や、日窓１２ａの有無、インダイアルと日窓の配置箇所等は任意である。また、窓は日窓の他、曜や都市名、機能名等を表示する物であっても良く、複数の窓が有っても良い。
【００４２】
太陽電池４１は、見切り１ａよりも外側から、各インダイアル１１ａ、１１ｂ、１１ｃと日窓１２ａを取り囲むように配置される。また、太陽電池４１の発電領域４１ａは腕時計１０２の中心側を向くように配置される。このように配置することにより、腕時計１０２の見切り１ａ部の円周長よりも長い太陽電池４１を配置することが可能である。また、太陽電池４１の見切り１ａよりも外側に配置されている部分４１１、４１３、４１５、４１７、４１９の上方は、外観として確認することができないため、外観を損ねることがないように配慮されている。
【００４３】
ここで、図１２は、本発明の第３実施形態に係る太陽電池の平面図である。図１２（ａ）で示す太陽電池４１は、太幅（４１ｄ）部４１１、４１３、４１５、４１７、４１９と、細幅（４１ｅ）部４１２、４１４、４１６、４１８を有する形状をしている。図１２（ｂ）で示す太陽電池４２は、特許文献３で示されているような構造の場合の形状であり、長さが略見切り径の円周長であって、発電領域４２ａの幅が４１ｄである。後述の如く、腕時計１０２の薄型化のため、太陽電池４１は太幅部と細幅部が設けられており、該細幅部（４１ｅ）の数は、太陽電池４１で取り囲む前記インダイアルや日窓１２ａの数と同数である。
【００４４】
太陽電池４１の長さは、太陽電池４２よりも長いため、太陽電池４１の発電領域４１ａの面積は、太陽電池４２の発電領域４２ａよりも大きくすることができ、特許文献１で示されているような構造と比較し、腕時計１０２の平面サイズを大きくすることなく、太陽電池４１による発電電力を増やすことができる。
【００４５】
さらに、太陽電池４１の見切り１ａよりも内側に配置されている部分４１２、４１４、４１６、４１８の上方は、光透過性の太陽電池支持枠によって外観として確認可能であるため、外観を損ねることがないように、太陽電池支持枠６１の上面に覆いとしての印刷６１ｂを設けても良い。なお、印刷６１ｂは別体部品による装飾などでも構わない。また、上記印刷６１ｂや装飾は目盛等を付しても良い。
【００４６】
次に、図１３を用いて、本発明の第３実施形態に係る断面構造について説明する。
ムーブメント５１の上方に文字板１２が配置される。文字板１２の上方に太陽電池支持枠６１が配置され、太陽電池支持枠６１には太陽電池４１を組込む非貫通のスリット６１ａが設けられている。
【００４７】
このような構造にすることで、太陽電池４１の幅細部４１２、４１４、４１６、４１８を、太陽電池支持枠６１と文字板１２によって断面保持することができる。また、太陽電池４１の幅太部４１１、４１３、４１５、４１７、４１９は、胴１ｂと、ムーブメント５１もしくはムーブメントと胴とのスペーサーを成す図示しない中枠によって断面保持される。
【００４８】
インダイアル１１ａ、１１ｂ、１１ｃの情報を表示する小針１３ａ、１３ｂ、１３ｃは、太陽電池支持枠６１の上面６１ｃよりも低くなるように配置される。
このような配置にすることで、腕時計１０２の中心に配置され、かつ、最下方に位置する針１４と太陽電池支持枠６１の上面６１ｃとを近づけることができるため、腕時計１０２を薄型化することができる。
【００４９】
［変形例］
上述の実施形態の他、以下の変形例も可能である。
（１）第１、第２実施形態では、回路ブロック２では時刻のみを表示していたが、別の情報を表示しても良い。
例えば、適宜のグラフィック表示を行っても良いし、第２実施形態では、クロノグラフなどを表示しても良い。多機能時計を実現する際は、モード名を表示しても良い。
【００５０】
（２）第１〜第３実施形態では、長尺の太陽電池４の発電面を腕時計１００の中心に向けるように配置したが、２つの太陽電池４の非発電面同士を対向させて、太陽電池支持枠６のスリット６ａ内に配置しても良い。
このように配置することで、太陽電池の両面を発電領域として利用でき、発電領域の面積を２倍にすることができるため、第１実施例よりも発電効率を高めることができる。
なお、２つ太陽電池は、同形状ではなく、電極４ｂ、４ｃが異なる位置に配置されている太陽電池を使用しても良い。
また、複数の太陽電池を使用せずに、発電面を両面に有する太陽電池を使用しても良い。
【００５１】
（３）第１〜第３実施形態では、太陽電池４は細長い長尺の１枚のもので説明したが、これに限定されない。複数の太陽電池によって実現しても良い。
特に、第２実施形態では、各デジットやコロン表示部を取り囲むような太陽電池を複数用意しても良い。
【００５２】
（４）第１、第２実施形態では、表示素子として発光ダイオードを使用したが、これに限定されない。他の発光素子でも良いし、また発光素子でない適宜の表示素子が使用可能である。しかしながら、太陽電池が迷光防止の機能も発揮する点で、本発明は発光素子への適用がより効果的である。
【００５３】
（５）第３実施形態では、インダイアル１１ａ、１１ｂ、１１ｃと日窓１２ａを太陽電池４１で取り囲んでいたが、インダイアルや窓の部分は液晶などの光学表示でも良い。
また、第３実施形態では、指針式時計への適用を示したが、液晶表示などの平面ディスプレイを用いたデジタル表示式時計に適用しても良い。
しかし、本発明は、表示領域の断面（厚み）方向に必然的に空間ができる指針式時計への適用がより効果的である。
【符号の説明】
【００５４】
１、１ｂ  胴
１ａ  見切り
２  回路ブロック
３  りゅうず
４、４１、４２  太陽電池
４ａ、４１ａ、４２ａ 発電領域
４ｂ、４ｃ  電極
５、５１  ムーブメント
６、６１  太陽電池支持枠
６ａ、６１ａ  スリット
６１ｂ  印刷
７  風防ガラス
８ａ、８ｂ  太陽電池接続ばね
９  絶縁シート
１０  太陽電池接続ばね押さえ、
１１ａ、１１ｂ、１１ｃ  インダイアル
１２  文字板
１２ａ  日窓
１３ａ、１３ｂ，１３ｃ  小針
１００、１０１、１０２  腕時計
２０１  発光ダイオード
２１０ａ、２１０ｂ、２１０ｃ、２１０ｄ  デジット
【図１】
2015129685.tif 000003
【図２】
2015129685.tif 000004
【図３】
2015129685.tif 000005
【図４】
2015129685.tif 000006
【図５】
2015129685.tif 000007
【図６】
2015129685.tif 000008
【図７】
2015129685.tif 000009
【図８】
2015129685.tif 000010
【図９】
2015129685.tif 000011
【図１０】
2015129685.tif 000012
【図１１】
2015129685.tif 000013
【図１２】
2015129685.tif 000014
【図１３】
2015129685.tif 000015